(57)【特許請求の範囲】
【請求項１】
複数のサイドリンク無線リソースをサポートする無線通信ネットワーク（100）における通信のための無線通信デバイス（101j）であって、前記無線通信デバイス（101j）は、
少なくとも1つの隣接する無線通信デバイス（101i）に関連付けられた第1の信号強度パラメータ（Pij）、特に物理サイドリンク共有チャネル（PSSCH）基準信号受信電力（RSRP）を測定し、および／または
前記複数のサイドリンク無線リソース（s）の少なくとも1つに関連付けられた第2の信号強度パラメータ（Ij（s））、特にサイドリンク受信信号強度インジケータ（S−RSSI）を測定する
ように構成されたトランシーバ（101j−1）と、
前記複数のサイドリンク無線リソース（s）の少なくとも1つに関連付けられた干渉関連パラメータ（Hj（s））、特にPSSCH干渉ヘッドルームを決定し、
前記少なくとも1つの隣接する無線通信デバイス（101i）のアイデンティティ関連パラメータ（IDi）をPijまたはその関数にマッピングする第1のマップ（Sj）を計算し、および／または
少なくとも1つのサイドリンク無線リソース（s）をIj（s）もしくはHj（s）またはその関数にマッピングする第2のマップ（Cj）を計算する
ように構成されたプロセッサ（101j−2）と、
を備え、
前記トランシーバ（101j−1）は、Sjおよび／またはCjをネットワークエンティティ（106）、特に基地局に、および／または少なくとも1つの隣接する無線通信デバイスに送信するようにさらに構成される、
無線通信デバイス（101j）。
【請求項２】
前記複数のサイドリンク無線リソース（s）が、前記無線通信デバイスの半永続的な割り当てを含む、特に物理共有チャネルのスーパーフレームに配置される、請求項1に記載の無線通信デバイス（101j）。
【請求項３】
前記トランシーバ（101j−1）が、前記少なくとも1つの隣接する無線通信デバイス（101i）に、前記無線通信デバイス（101j）の送信側サイドリンク無線リソースのセット（Tj）および／または受信側サイドリンク無線リソースのセット（Rj）を送信するようにさらに構成される、請求項1または2に記載の無線通信デバイス（101j）。
【請求項４】
前記少なくとも1つの隣接する無線通信デバイス（101i）の前記アイデンティティ関連パラメータ（IDi）は、特に、無線通信デバイス（101i）から無線通信デバイス（101j）への最近の送信の位置、時間および／もしくは周波数、またはその関数に対応するリソース指示値によって示される、請求項1から3のいずれか一項に記載の無線通信デバイス（101j）。
【請求項５】
前記第1のマップ（Sj）のPijの前記関数はPijの量子化である、請求項1から4のいずれか一項に記載の無線通信デバイス（101j）。
【請求項６】
前記第2のマップ（Cj）のIj（s）またはHj（s）の前記関数は、Ij（s）またはHj（s）の量子化である、請求項1から5のいずれか一項に記載の無線通信デバイス（101j）。
【請求項７】
前記プロセッサ（101j−2）が、Cj（s）の前記値を、
前記サイドリンク無線リソース（s）が前記セットRjの一部である場合には、Hj（s）またはその関数に設定し、かつ／または
前記サイドリンク無線リソース（s）が前記セットRjの一部ではない場合には、Ij（s）またはその関数に設定するようにさらに構成される、請求項5に記載の無線通信デバイス（101j）。
【請求項８】
Hj（s）および／またはIj（s）の前記関数が、Pijの前記量子化に基づいている、請求項7に記載の無線通信デバイス（101j）。
【請求項９】
前記トランシーバ（101j−1）が、以前の更新に対するSjおよび／またはCjの変化のみを送信するようにさらに構成される、請求項1から8のいずれか一項に記載の無線通信デバイス（101j）。
【請求項１０】
複数のサイドリンク無線リソースをサポートする無線通信ネットワーク（100）における通信のための無線通信デバイス（101i）であって、前記無線通信デバイス（101i）は、
少なくとも1つの隣接する無線通信デバイス（101j）から、前記無線通信デバイス（101i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するように構成されたトランシーバ（101i−1）と、
前記少なくとも1つの隣接する無線通信デバイス（101j）から、前記無線通信デバイス（101j）の送信側サイドリンク無線リソースのセット（Tj）および／または受信側サイドリンク無線リソースのセット（Rj）を受信するようにさらに構成された前記トランシーバ（101i−1）と、
特にSj（i）とCj（s）の比較に基づいて、前記隣接する無線通信デバイス（101j）または別の無線通信デバイス（l）と通信するために前記複数のサイドリンク無線リソースから1つまたは複数のサイドリンク無線リソース（s）を選択するように構成されたプロセッサ（101i−2）と
を備える、無線通信デバイス（101i）。
【請求項１１】
前記プロセッサ（101i−2）が、前記サイドリンク無線リソース（s）で既に送信および／または受信している前記無線通信デバイスに関して、特に、前記送信側無線通信デバイス（101i）および／または前記少なくとも1つの受信側無線通信デバイス（101j）の相対運動、特に相対速度に基づいて、少なくとも1つの隣接する無線通信デバイス（101j）と通信するために前記複数のサイドリンク無線リソースから1つまたは複数のサイドリンク無線リソース（s）を選択するようにさらに構成される、請求項10に記載の無線通信デバイス（101i）。
【請求項１２】
複数のサイドリンク無線リソースをサポートする無線通信ネットワーク（100）における通信のためのネットワークエンティティ（106）、特に基地局であって、前記無線通信ネットワーク（100）は複数の無線通信デバイスを備え、前記ネットワークエンティティ（106）は、
前記複数の無線通信デバイスのうちの無線通信デバイス（101j）から、前記無線通信デバイス（101j）の少なくとも1つの隣接する無線通信デバイス（101i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するように構成されたトランシーバ（106−1）と、
特にSj（i）とCj（s）の比較に基づいて、前記少なくとも1つの隣接する無線通信デバイス（101i）と前記無線通信デバイス（101j）との間で、または別の無線通信デバイス（l）と通信するために前記複数のサイドリンク無線リソースから1つまたは複数のサイドリンク無線リソース（s）を選択するように構成されたプロセッサ（106−2）と
を備える、ネットワークエンティティ（106）。
【請求項１３】
前記プロセッサ（106−2）が、前記サイドリンク無線リソース（s）で既に送信および／または受信している前記無線通信デバイスに関して、特に、前記送信側無線通信デバイス（101i）および／または前記少なくとも1つの受信側無線通信デバイス（101j）の相対運動、特に相対速度に基づいて、無線通信デバイス（101i）と少なくとも1つの隣接する無線通信デバイス（101j）との間で通信するために前記複数のサイドリンク無線リソースから1つまたは複数のサイドリンク無線リソース（s）を選択するようにさらに構成される、請求項12に記載のネットワークエンティティ（106）。
【請求項１４】
複数のサイドリンク無線リソースをサポートする無線通信ネットワーク（100）における通信のための無線通信デバイス（101j）が実施する方法（500）であって、前記方法（500）は、
少なくとも1つの隣接する無線通信デバイス（101i）に関連付けられた第1の信号強度パラメータ（Pij）、特に物理サイドリンク共有チャネル（PSSCH）基準信号受信電力（RSRP）を測定するステップ（502）、および／または
前記複数のサイドリンク無線リソース（s）の少なくとも1つに関連付けられた第2の信号強度パラメータ（Ij（s））、特にサイドリンク受信信号強度インジケータ（S−RSSI）を測定するステップ（504）と、
前記複数のサイドリンク無線リソース（s）の少なくとも1つに関連付けられた干渉関連パラメータ（Hj（s））、特にPSSCH干渉ヘッドルームを決定するステップ（506）と、
前記少なくとも1つの隣接する無線通信デバイス（101i）のアイデンティティ関連パラメータ（IDi）をPijまたはその関数にマッピングする第1のマップ（Sj）を計算するステップ（508）、および／または
少なくとも1つのサイドリンク無線リソース（s）をIj（s）もしくはHj（s）またはその関数にマッピングする第2のマップ（Cj）を計算するステップ（510）と、
Sjおよび／またはCjをネットワークエンティティ（106）、特に基地局に、および／または少なくとも1つの隣接する無線通信デバイスに送信するステップ（512）と
を含む、方法（500）。
【請求項１５】
前記方法（500）が、前記少なくとも1つの隣接する無線通信デバイスに（101i）に前記無線通信デバイス（101j）の送信側サイドリンク無線リソースのセット（Tj）および／または受信側サイドリンク無線リソースのセット（Rj）を送信するステップをさらに含む、請求項14に記載の方法（500）。
【請求項１６】
複数のサイドリンク無線リソースをサポートする無線通信ネットワーク（100）における通信のための無線通信デバイス（101i）が実施する方法（600）であって、前記方法（600）は、
少なくとも1つの隣接する無線通信デバイス（101j）から、前記無線通信デバイス（101i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するステップ（602）と、
前記少なくとも1つの隣接する無線通信デバイス（101j）から、前記無線通信デバイス（101j）の送信側サイドリンク無線リソースのセット（Tj）および／または受信側サイドリンク無線リソースのセット（Rj）を受信するステップ（604）と、
特にSj（i）とCj（s）の比較に基づいて、前記隣接する無線通信デバイス（101j）または別の無線通信デバイス（l）と通信するために前記複数のサイドリンク無線リソースから1つまたは複数のサイドリンク無線リソース（s）を選択するステップ（606）、および／または
前記サイドリンク無線リソース（s）で既に送信および／または受信している前記無線通信デバイスに関して、特に、前記送信側無線通信デバイス（101i）および／または前記少なくとも1つの受信側無線通信デバイス（101j）の相対運動、特に相対速度に基づいて、少なくとも1つの隣接する無線通信デバイス（101j）と通信するために前記複数のサイドリンク無線リソースから1つまたは複数のサイドリンク無線リソース（s）を選択するステップ（608）と
を含む、方法（600）。
【請求項１７】
複数のサイドリンク無線リソースをサポートする無線通信ネットワーク（100）における通信のためのネットワークエンティティ（106）が実施する方法（700）であって、前記無線通信ネットワーク（100）は、前記ネットワークエンティティ（106）、特に基地局、ならびに複数の無線通信デバイスを備え、前記方法（700）は、
前記複数の無線通信デバイスの無線通信デバイス（101j）から、前記無線通信デバイス（101j）の少なくとも1つの隣接する無線通信デバイス（101i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を、前記ネットワークエンティティ（106）で受信するステップ（702）と、
前記ネットワークエンティティ（106）が、特にSj（i）とCj（s）の比較に基づいて、前記少なくとも1つの隣接する無線通信デバイス（101i）と前記無線通信デバイス（101j）との間で、または別の無線通信デバイス（l）と通信するために、前記複数のサイドリンク無線リソースから1つまたは複数のサイドリンク無線リソース（s）を選択するステップ（704）、および／または
前記ネットワークエンティティ（106）が、前記サイドリンク無線リソース（s）で既に送信および／または受信している前記無線通信デバイスに関して、特に、前記送信側無線通信デバイス（101i）および／または前記少なくとも1つの受信側無線通信デバイス（101j）の相対運動、特に相対速度に基づいて、無線通信デバイス（101i）と少なくとも1つの隣接する無線通信デバイス（101j）との間で通信するために前記複数のサイドリンク無線リソースから1つまたは複数のサイドリンク無線リソース（s）を選択するステップ（706）と
を含む、方法（700）。
【請求項１８】
コンピュータ上で実行される場合に請求項14から17のいずれか一項に記載の方法（500，600，700）を実行するためのプログラムコードを含むコンピュータプログラム。
【発明の詳細な説明】
【技術分野】
【０００１】
本発明は、無線通信に関する。より具体的には、本発明は、通信ネットワーク、特に、車両間（Vehicle−to−Vehicle，V2V）通信ネットワークにおける通信のための無線通信デバイスおよび方法に関する。
【背景技術】
【０００２】
第3世代パートナーシッププロジェクト（3rd Generation Partnership Project，3GPP）は、Vehicle−to−Everything（Vehicle−to−Everything，V2X）サービスをサポートするために5Gに向けてLong Term Evolution（Long Term Evolution，LTE）仕様を強化するプロセスにある。
【０００３】
V2V、またはより一般的にはV2X通信ネットワークでは、情報は、基地局によるLTE−Uuインタフェース（すなわち、アップリンク／ダウンリンク）を介して、またはPC5インタフェース（すなわち、サイドリンク（sidelink，SL））を介した直接のデバイス間（Device−to−Device，D2D）のいずれかで、車両などのユーザ機器（User Equipment，UE）間で交換され得る。直接通信モードは、UEがE−UTRANによってサービスされる場合、およびUEがE−UTRAカバレッジ外にある場合にサポートされる（3GPP TS 36．300，“Evolved Universal Terrestrial Radio Access（“Evolved Universal Terrestrial Radio Access，E−UTRA）and Evolved Universal Terrestrial Radio Access Network（Evolved Universal Terrestrial Radio Access Network，E−UTRAN）；Overall description；Stage 2（Release 14）”，2016年9月，V14．0．0を参照）。特に、2つのサイドリンク送信モードがある（3GPP TS 36．213，“Evolved Universal Terrestrial Radio Access（Evolved Universal Terrestrial Radio Access，E−UTRA）；Physical layer procedures（Release 14）”，2016年9月，V14．0．0を参照）。スケジュールモード（SL送信モード1および3）では、オペレータはPC5インタフェースを介した直接送信のためのサイドリンクリソース割り当ての集中コーディネータとして機能するが、自律モード（SL送信モード2および4）では、UEがPC5インタフェースを介した直接送信のための（事前）構成済みリソースプールからのサイドリンクリソースを自律的に選択する。
【０００４】
V2Xサイドリンク通信では、サイドリンクリソース割り当て（またはサイドリンクスケジューリング）の問題に対処する必要があり、すなわち、どのようにして最小限の干渉で通信ネットワークにおける無線送信をスケジュールするかである。
【０００５】
特定のセルで同じキャリア周波数を使用する物理サイドリンク共有チャネル（Physical Sidelink Shared Channel，PSSCH）送信間の相互干渉を防ぐために、異なる端末（UE）を異なる時間（すなわち、異なるサブフレーム）および／または異なるサブチャネル（すなわち、異なるリソースブロック）で送信するようにスケジュールできる。ただし、システム容量を増やし、チャネルアクセス遅延を減らすために、相互干渉が無視できることが保証されている限り、同じ時間周波数リソース（サブフレームとサブチャネル）内で複数の送信を許可することが望ましい。
【０００６】
特に、低干渉（および低アクセス遅延）の要件は、協調型自動運転（例えば、協調型センシングまたは協調操作）用のV2Vサービスなど、超高信頼低遅延通信（Ultra−Reliable Low−Latency Communications，URLLC）を必要とするサービスの提供にとって非常に重要である。
【０００７】
複数のPSSCH送信間の相互干渉が無視できるかどうかを積極的に判断するために、そのような送信が同じ時間周波数リソースを使用することを許可される前、または同等に、高い信号対干渉プラスノイズ比（Signal−to−Interference−plus−Noise Ratio，SINR）を確保するために、現在のソリューションは、（例えば、GPSを介して取得され、UEによってネットワークに定期的に報告される）UEの地理的位置の知識を活用する。端末が十分に離れていれば、時間周波数リソースの再利用が可能になる。これは、最小再利用距離を課すことに相当する。
【０００８】
ただし、このようなロケーションベースの再利用戦略には、実際の物理的な波の伝播（すなわち、無線チャネル）を考慮しないという欠点がある。例えば、高速道路上の2台の車両は、干渉を無視して同じリソースで送信するために〜1km離れている必要があり得るが、建物が近くの道路間の干渉のほとんどを遮蔽する都市環境では状況が大きく異なる場合がある。さらに、位置ベースの再利用は、将来の車両に展開される可能性のある指向性アンテナを利用しない。
【０００９】
結果として、そのような手法は、かなり控えめな方法でリソースを再利用することによって、つまり、UEが非常に離れている場合にのみ同じ無線リソースを使用できるようにすることによって、高いSINR要件を満たすことができるだけである。これにより、セルラシステムのスペクトル効率が低下する。ロケーションベースの再利用のもう1つの欠点は、特定のエリア（セルなど）内のすべてのUEの位置を収集する中央エンティティが必要になることである。したがって、カバレッジ外の場合は適用されない。
【００１０】
カバレッジ外の動作の場合、V2Xサイドリンク通信の現在の3GPP仕様は、特にPSSCH基準信号受信電力（PSSCH Reference Signal Received Power，PSSCH−RSRP）およびサイドリンク受信信号強度インジケータ（Sidelink Received Signal Strength Indicator，S−RSSI）の2つの主要な測定の導入を通じて、無線チャネルの検知に基づいて特定のリソースを除外するUE自律リソース選択手順を指定している。ただし、検出は受信機ではなく送信機で実行されるため、よく知られている隠れ端末の問題が発生する。さらに、リソース選択手順では、近くの受信機への最終的な送信の影響を考慮していない。
【００１１】
したがって、無線通信ネットワーク、特にV2V通信ネットワークでの通信のための改善された無線通信デバイスおよび方法が必要である。
【発明の概要】
【課題を解決するための手段】
【００１２】
本発明の目的は、無線通信ネットワーク、特にV2V通信ネットワークにおける通信のための改善された無線通信デバイスおよび方法を提供することである。
【００１３】
前述およびその他の目的は、独立請求項の主題によって達成される。さらなる実装形態は、従属請求項、明細書および図面から明らかである。
【００１４】
第1の態様によれば、本発明は、複数のサイドリンク無線リソースをサポートする無線通信ネットワークで通信する無線通信デバイス（j）に関し、無線通信デバイス（j）は、少なくとも1つの隣接する無線通信デバイス（i）に関連付けられた第1の信号強度パラメータ（Pij）、特に物理サイドリンク共有チャネル（PSSCH）基準信号受信電力（RSRP）を測定し、および／または複数のサイドリンク無線リソース（s）のうちの少なくとも1つに関連付けられた第2の信号強度パラメータ（Ij（s））、特に、サイドリンク受信信号強度インジケータ（Sidelink Received Signal Strength Indicator，S−RSSI）を測定するように構成されたトランシーバを備える。さらに、無線通信デバイス（j）は、複数のサイドリンク無線リソース（s）の少なくとも1つに関連付けられた干渉関連パラメータ（Hj（s））、特にPSSCH干渉ヘッドルームを決定し、少なくとも1つの隣接する無線通信デバイス（i）のアイデンティティ関連パラメータ（IDi）をPijまたはその関数にマッピングする第1のマップ（Sj）を計算し、および／または少なくとも1つのサイドリンク無線リソース（s）をIj（s）もしくはHj（s）またはその関数にマッピングする第2のマップ（Cj）を計算するように構成されたプロセッサを備える。さらに、トランシーバは、Sjおよび／またはCjをネットワークエンティティ、特に基地局、および／または少なくとも1つの隣接する無線通信デバイスに送信するように構成される。
【００１５】
このようにして、改善された無線通信デバイスjが提供される。
【００１６】
第1の態様による無線通信デバイス（j）の第1の可能な実装形態では、複数のサイドリンク無線リソース（s）は、無線通信デバイスの半永続的な割り当てを含む、特に物理共有チャネルのスーパーフレームに配置される。
【００１７】
第1の態様またはその第1の実装形態による無線通信デバイス（j）の第2の可能な実装形態では、トランシーバは、少なくとも1つの隣接する無線通信デバイス（i）に無線通信デバイス（j）の送信側サイドリンク無線リソースのセット（Tj）および／または受信側サイドリンク無線リソースのセット（Rj）を送信するようにさらに構成される。
【００１８】
第1の態様またはその実装形態のいずれか1つによる無線通信デバイス（j）の第3の可能な実装形態では、少なくとも1つの隣接する無線通信デバイス（i）のアイデンティティ関連パラメータ（IDi）は、特に、無線通信デバイス（i）から無線通信デバイス（j）への最近の送信の位置、時間および／もしくは周波数、またはその関数に対応するリソース指示値によって示される。
【００１９】
第1の態様またはその第1から第3の実装形態のいずれか1つによる無線通信デバイス（j）の第4の可能な実装形態では、第1のマップ（Sj）のPijの関数はPijの量子化である。
【００２０】
第1の態様またはその第1から第4の実装形態のいずれか1つによる無線通信デバイス（j）の第5の可能な実装形態では、第2のマップ（Cj）のIj（s）またはHj（s）の関数は、Ij（s）またはHj（s）の量子化である。
【００２１】
第1の態様の第4の実装形態による無線通信デバイス（j）の第6の可能な実装形態では、プロセッサは、サイドリンク無線リソース（s）がセットRjの一部である場合にはCj（s）の値をHj（s）またはその関数に設定し、かつ／またはサイドリンク無線リソース（s）がセットRjの一部ではない場合にはCj（s）の値をIj（s）またはその関数に設定するようにさらに構成される。
【００２２】
第1の態様の第6の実装形態による無線通信デバイス（j）の第7の可能な実装形態では、Hj（s）および／またはIj（s）の関数は、Pijの量子化に基づいている。
【００２３】
第1の態様またはその第1から第7の実装形態のいずれか1つによる無線通信デバイス（j）の第8の可能な実装形態では、トランシーバは、以前の更新に対するSjおよび／またはCjの変化のみを送信するようにさらに構成される。
【００２４】
第2の態様によれば、本発明は、複数のサイドリンク無線リソースをサポートする無線通信ネットワークで通信する無線通信デバイス（i）に関し、無線通信デバイス（i）は、少なくとも1つの隣接する無線通信デバイス（j）から、無線通信デバイス（i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するように構成されたトランシーバを備える。さらに、トランシーバは、少なくとも1つの隣接する無線通信デバイス（j）から、無線通信デバイス（j）の送信側サイドリンク無線リソースのセット（Tj）および／または受信側サイドリンク無線リソースのセット（Rj）を受信するように構成される。さらに、無線通信デバイス（i）は、複数のサイドリンク無線リソースから1つまたは複数のサイドリンク無線リソース（s）を選択して、特にSj（i）とCj（s）の比較に基づいて、隣接する無線通信デバイス（j）または別の無線通信デバイス（l）と通信するように構成されたプロセッサを備える。
【００２５】
このようにして、改善された無線通信デバイスiが提供される。
【００２６】
第2の態様による無線通信デバイス（i）の第1の可能な実装形態では、プロセッサは、サイドリンク無線リソース（s）で既に送信および／または受信している無線通信デバイスに関して、特に、送信側無線通信デバイス（i）および／または少なくとも1つの受信側無線通信デバイス（j）の相対運動、特に相対速度に基づいて、少なくとも1つの隣接する無線通信デバイス（j）と通信するために複数のサイドリンク無線リソースから1つまたは複数のサイドリンク無線リソース（s）を選択するようにさらに構成される。
【００２７】
第3の態様によれば、本発明は、複数のサイドリンク無線リソースをサポートする無線通信ネットワークで通信するためのネットワークエンティティ、特に基地局に関し、通信ネットワークは複数の無線通信デバイスを備え、ネットワークエンティティは、複数の無線通信デバイスのうちの無線通信デバイス（j）から、無線通信デバイス（j）の少なくとも1つの隣接する無線通信デバイス（i）のアイデンティティ関連パラメータ（IDi）を第1の信号強度パラメータ（Pij）、特に物理サイドリンク共有チャネル（Physical Sidelink Shared Channel，PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（Sidelink Received Signal Strength Indicator，S−RSSI）、もしくは干渉関連パラメータ（Hj（s））、特にPSSCH干渉ヘッドルーム、またはその関数にマッピングする第2のマップ（Cj）を受信するように構成されたトランシーバを備える。さらに、ネットワークエンティティは、特にSj（i）とCj（s）の比較に基づいて、少なくとも1つの隣接する無線通信デバイス（i）と無線通信デバイス（j）との間で、または別の無線通信デバイス（l）と通信するために、複数のサイドリンク無線リソースから1つまたは複数のサイドリンク無線リソース（s）を選択するように構成されたプロセッサを備える。
【００２８】
このようにして、改善されたネットワークエンティティが提供される。
【００２９】
第3の態様によるネットワークエンティティの第1の可能な実装形態では、プロセッサは、サイドリンク無線リソース（s）で既に送信および／または受信している無線通信デバイスに関して、特に、送信側無線通信デバイス（i）および／または少なくとも1つの受信側無線通信デバイス（j）の相対運動、特に相対速度に基づいて、無線通信デバイス（i）と少なくとも1つの隣接する無線通信デバイス（j）との通信のために複数のサイドリンク無線リソースから1つまたは複数のサイドリンク無線リソース（s）を選択するようにさらに構成される。
【００３０】
第4の態様によれば、本発明は、複数のサイドリンク無線リソースをサポートする無線通信ネットワークにおける通信のための方法に関し、この方法は、少なくとも1つの隣接する無線通信デバイス（i）に関連付けられた第1の信号強度パラメータ（Pij）、特に物理サイドリンク共有チャネル（Physical Sidelink Shared Channel，PSSCH）基準信号受信電力（Reference Signal Received Power，RSRP）を測定するステップ、および／または複数のサイドリンク無線リソース（s）の少なくとも1つに関連付けられた第2の信号強度パラメータ（Ij（s））、特にサイドリンク受信信号強度インジケータ（Sidelink Received Signal Strength Indicator，S−RSSI）を測定するステップと、複数のサイドリンク無線リソース（s）の少なくとも1つに関連付けられた干渉関連パラメータ（Hj（s））、特にPSSCH干渉ヘッドルームを決定するステップと、少なくとも1つの隣接する無線通信デバイス（i）のアイデンティティ関連パラメータ（IDi）をPijまたはその関数にマッピングする第1のマップ（Sj）を計算するステップ、および／または少なくとも1つのサイドリンク無線リソース（s）をIj（s）もしくはHj（s）またはその関数にマッピングする第2のマップ（Cj）を計算するステップと、Sjおよび／またはCjをネットワークエンティティ、特に基地局に、および／または少なくとも1つの隣接する無線通信デバイスに送信するステップと、を含む。
【００３１】
このようにして、改善された方法が提供される。
【００３２】
第4の態様による方法の第1の可能な実装形態では、方法は、少なくとも1つの隣接する無線通信デバイスに（i）に無線通信デバイス（j）の送信側サイドリンク無線リソースのセット（Tj）および／または受信側サイドリンク無線リソースのセット（Rj）を送信するステップをさらに含む。
【００３３】
第5の態様によれば、本発明は、複数のサイドリンク無線リソースをサポートする無線通信ネットワークにおける通信のための方法に関し、この方法は、少なくとも1つの隣接する無線通信デバイス（j）から、無線通信デバイス（i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するステップと、少なくとも1つの隣接する無線通信デバイス（j）から、無線通信デバイス（j）の送信側サイドリンク無線リソースのセット（Tj）および／または受信側サイドリンク無線リソースのセット（Rj）を受信するステップと、特にSj（i）とCj（s）の比較に基づいて、隣接する無線通信デバイス（j）または別の無線通信デバイス（l）と通信するために複数のサイドリンク無線リソースから1つまたは複数のサイドリンク無線リソース（s）を選択するステップ、および／またはサイドリンク無線リソース（s）で既に送信および／または受信している無線通信デバイスに関して、特に、送信側無線通信デバイス（i）および／または少なくとも1つの受信側無線通信デバイス（j）の相対運動、特に相対速度に基づいて、少なくとも1つの隣接する無線通信デバイス（j）と通信するために複数のサイドリンク無線リソースから1つまたは複数のサイドリンク無線リソース（s）を選択するステップと、を含む。
【００３４】
このようにして、改善された方法が提供される。
【００３５】
第6の態様によれば、本発明は、複数のサイドリンク無線リソースをサポートする無線通信ネットワークにおける通信のための方法に関し、通信ネットワークは、ネットワークエンティティ、特に基地局、ならびに複数の無線通信デバイスを備え、方法は、複数の無線通信デバイスの内の１つの無線通信デバイス（j）から、無線通信デバイス（j）の少なくとも1つの隣接する無線通信デバイス（i）のアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を、ネットワークエンティティで受信するステップと、ネットワークエンティティが、特にSj（i）とCj（s）の比較に基づいて、少なくとも1つの隣接する無線通信デバイス（i）と無線通信デバイス（j）との間で、または別の無線通信デバイス（l）と通信するために、複数のサイドリンク無線リソースから1つまたは複数のサイドリンク無線リソース（s）を選択するステップ、および／またはネットワークエンティティが、サイドリンク無線リソース（s）で既に送信および／または受信している無線通信デバイスに関して、特に、送信側無線通信デバイス（i）および／または少なくとも1つの受信側無線通信デバイス（j）の相対運動、特に相対速度に基づいて、無線通信デバイス（i）と少なくとも1つの隣接する無線通信デバイス（j）との間で通信するために複数のサイドリンク無線リソースから1つまたは複数のサイドリンク無線リソース（s）を選択するステップと、を含む。
【００３６】
このようにして、改善された方法が提供される。
【００３７】
第7の態様によれば、本発明は、コンピュータで実行されると、第4の態様の方法もしくはその第1の実装形態、第5の態様の方法、または第6の態様の方法を実行するためのプログラムコードを含むコンピュータプログラムに関する。
【００３８】
本発明は、ハードウェアおよび／またはソフトウェアで実施され得る。
【００３９】
本発明の実施形態を、以下の図面に関して説明する。
【図面の簡単な説明】
【００４０】
【図１】一実施形態による2つの無線通信デバイスと一実施形態によるネットワークエンティティとを備える無線通信ネットワークの概略図である。
【図２】一実施形態による、無線通信ネットワークにおける通信のための物理サイドリンク共有チャネル（PSSCH）スーパーフレームの一例を示す概略図である。
【図３】一実施形態による、無線通信ネットワーク内の無線通信デバイスjの隣接する無線通信デバイスの例示的なセットNj、および閾値Pmを示す概略図である。
【図４】一実施形態による、無線通信デバイスjによって計算された例示的な第1のマップSjおよび例示的な第2のマップCjを示す概略図である。
【図５】一実施形態による、無線通信ネットワークにおける通信のための方法の論理フロー図である。
【図６】一実施形態による、無線通信ネットワークにおける通信のための方法の論理フロー図である。
【図７】一実施形態による、無線通信ネットワークにおける通信のための方法の論理フロー図である。
【発明を実施するための形態】
【００４１】
さまざまな図において、同一または少なくとも機能的に同等の特徴には同一の参照符号が使用される。
【００４２】
以下の説明では、本開示の一部を形成し、本発明を配置することができる特定の態様を例示として示す添付図面を参照する。本発明の範囲から逸脱することなく、他の態様を利用することができ、構造的または論理的な変更を行うことができることを理解されたい。したがって、以下の詳細な説明は、本発明の範囲が添付の特許請求の範囲によって定義されるため、限定的な意味で解釈されるべきではない。
【００４３】
例えば、説明された方法に関連する開示は、方法を実行するように構成された対応するデバイスまたはシステムにも当てはまり、その逆も成り立つことが理解される。例えば、特定の方法ステップが説明されている場合、対応するデバイスは、そのようなユニットが図で明示的に説明または図示されていなくても、説明された方法ステップを実行するためのユニットを含む場合がある。さらに、本明細書で説明するさまざまな例示的態様の特徴は、特に明記しない限り、互いに組み合わせることができることを理解されたい。
【００４４】
図1は、一実施形態による2つの無線通信デバイス101iおよび101jと、一実施形態によるネットワークエンティティ106とを備える無線通信ネットワーク100の概略図を示している。
【００４５】
一実施形態では、無線通信ネットワーク100は、モバイルまたはセルラ通信ネットワークである。
【００４６】
一実施形態では、ネットワークエンティティ106は基地局であり、無線通信デバイス101iおよび101jは、ユーザ機器（User Equipment，UE）、特に車両の通信ユニットである。明確にするために、無線通信デバイス101iおよび101jは、単に無線通信デバイスiおよびjとも呼ばれる。
【００４７】
無線通信デバイス101jは、少なくとも1つの隣接する無線通信デバイス101iに関連付けられた第1の信号強度パラメータ（Pij）、特に物理サイドリンク共有チャネル（Physical Sidelink Shared Channel，PSSCH）基準信号受信電力（Reference Signal Received Power，RSRP）を測定し、および／または複数のサイドリンク無線リソース（s）のうちの少なくとも1つに関連付けられた第2の信号強度パラメータ（Ij（s））、特に、サイドリンク受信信号強度インジケータ（Sidelink Received Signal Strength Indicator，S−RSSI）を測定するように構成されたトランシーバ101j−1を備える。さらに、無線通信デバイス101jは、複数のサイドリンク無線リソース（s）の少なくとも1つに関連付けられた干渉関連パラメータ（Hj（s））、特にPSSCH干渉ヘッドルームを決定し、少なくとも1つの隣接する無線通信デバイス101iのアイデンティティ関連パラメータ（IDi）をPijまたはその関数にマッピングする第1のマップ（Sj）を計算し、および／または少なくとも1つのサイドリンク無線リソース（s）をIj（s）もしくはHj（s）またはその関数にマッピングする第2のマップ（Cj）を計算するように構成されたプロセッサ101j−2を備える。さらに、トランシーバ101j−1は、Sjおよび／またはCjをネットワークエンティティ106、特に基地局、および／または少なくとも1つの隣接する無線通信デバイスに送信するように構成される。
【００４８】
無線通信デバイス101iは、無線通信チャネルを介して、隣接する無線通信デバイス101jから、無線通信デバイス101iのアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するように構成されたトランシーバ101i−1を備える。さらに、無線通信デバイス101iのトランシーバ101i−1は、隣接する無線通信デバイス101jから、無線通信デバイス101jの送信側サイドリンク無線リソースのセット（Tj）および／または受信側サイドリンク無線リソースのセット（Rj）を受信するように構成され得る。さらに、無線通信デバイス101iは、複数のサイドリンク無線リソースから1つまたは複数のサイドリンク無線リソース（s）を選択して、特にSj（i）とCj（s）の比較に基づいて、隣接する無線通信デバイス101jまたは別の無線通信デバイス（l）と通信するように構成されたプロセッサ101i−2を備えることができる。
【００４９】
ネットワークエンティティ106、特に基地局は、複数のサイドリンク無線リソースをサポートする。さらに、ネットワークエンティティ106は、無線通信デバイス101jから、無線通信デバイス101iのアイデンティティ関連パラメータ（IDi）を第1の信号強度パラメータ（Pij）、特に物理サイドリンク共有チャネル（PSSCH）基準信号受信電力（RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（S−RSSI）、もしくは干渉関連パラメータ（Hj（s））、特にPSSCH干渉ヘッドルーム、またはその関数にマッピングする第2のマップ（Cj）を受信するように構成されたトランシーバ106−1を備えることができる。
【００５０】
さらに、ネットワークエンティティ106は、特にSj（i）とCj（s）の比較に基づいて、無線通信デバイス101iと無線通信デバイス101jとの間で、または別の無線通信デバイス（l）と通信するために、複数のサイドリンク無線リソースから1つまたは複数のサイドリンク無線リソース（s）を選択するように構成されたプロセッサ106−2を備えることができる。
【００５１】
例えば、ネットワークエンティティ106のプロセッサ106−2は、無線通信デバイス101iから少なくとも1つの隣接する無線通信デバイス101jへの送信のための候補リソースを考慮するとき、任意の受信側無線通信デバイス101jに対してSj（i）＜Cj（s）（または同等にPij＜γIj（s））のリソースを除外する（すなわち、割り当てない）ように構成され、つまり、無線通信デバイス101iは、リソースsで既に受信している他の隣接する無線通信デバイス（l）に対して所定の目標SINRγ、またはSl（i）＞Cl（s）（または、同等にPil＞Hl（s））を達成するためには、少なくとも1つの受信側無線通信デバイス101jから（RF電力に関して）「遠すぎる」、つまり、無線通信デバイス101iは、リソースsで既に受信している少なくとも1つの他の隣接する無線通信デバイス（l）に（RF電力に関して）「近すぎる」。
【００５２】
本発明の実施形態では、図2の文脈でより詳細に説明するスケジュールモードでは、サイドリンク共有チャネル（Sidelink Shared Channel，SL−SCH）スケジューラは、基地局106（またはPSSCHで送信する権利の付与を担当するその他のネットワークエンティティ）に配置され、自律モードでは、SL−SCHスケジューラは無線通信デバイス101iに配置される。
【００５３】
本発明の実施形態では、図2の説明で詳しく説明するように、複数のサイドリンク無線ソースは、物理サイドリンク共有チャネル（Physical Sidelink Shared Channel，PSSCH）スーパーフレームに配置され、送信リソースのセットTj、すなわち、無線通信デバイス101jが各PSSCHスーパーフレーム内で送信するためにスケジュールされるリソースのセット、および受信リソースのセットRj、すなわち、無線通信デバイス101jが各PSSCHスーパーフレーム内で受信するようにスケジュールされるリソースのセットを含む。
【００５４】
本発明の実施形態では、少なくとも1つの隣接する無線通信デバイス101iのアイデンティティ関連パラメータIDiは、特に、無線通信デバイス101iから無線通信デバイス101jへの最近の送信の位置、時間および／もしくは周波数、またはその関数に対応するリソース指示値によって示される。
【００５５】
本発明の実施形態では、第1の信号強度パラメータPij［W］は、3GPP TS 36．214，“Evolved Universal Terrestrial Radio Access（“Evolved Universal Terrestrial Radio Access，E−UTRA）；Physical layer；Measurements（Release 14）”，2016年9月，V14．0．0におけるPSSCH基準信号受信電力（PSSCH Reference Signal Received Power，PSSCH−RSRP）として定義される。例えば、無線通信デバイス101jが車両の通信ユニットである場合、第1の信号強度パラメータPijは、例えば100ミリ秒ごとに発生する定期的な協調認識メッセージ（Cooperative Awareness Message，CAM）または基本安全メッセージ（Basic Safety Message，BSM）の送信に関連付けられたPSSCH復調基準信号（Demodulation Reference Signals，DMRS）の受信電力を測定することにより取得され得る。
【００５６】
一実施形態では、PSSCHスーパーフレーム内の各リソースs∈Rjについて、PSSCH干渉ヘッドルームHj（s）［W］は、リソースsで受信する無線通信デバイス101jが目標SINRγを満たさなくなる最大追加干渉として定義される。一実施形態では、γは、無線通信ネットワーク100によって構成可能なパラメータであり、受信側無線通信デバイスで保証されるべき最小のSINRを示す。
【００５７】
一実施形態では、第2の信号強度パラメータIj（s）［W］は、3GPP TS 36．214，“Evolved Universal Terrestrial Radio Access（Evolved Universal Terrestrial Radio Access，E−UTRA）；Physical layer；Measurements（Release 14）”，2016年9月，V14．0．0におけるサイドリンク受信信号強度インジケータ（Sidelink Received Signal Strength Indicator，S−RSSI）として定義され、ここで、PSSCHスーパーフレーム（無線通信デバイス101jが送信するようにスケジュールされているサブフレームを除く）内の各リソース
【数１】
0006824429.tif 000002
について、第2の信号強度パラメータIj（s）は、リソースsで観測された電力（熱雑音電力を含む）である。
【００５８】
図2は、一実施形態による無線通信ネットワーク100における通信のための物理サイドリンク共有チャネル（Physical Sidelink Shared Channel，PSSCH）スーパーフレームの一例を示している。
【００５９】
この例では、PSSCHスーパーフレームと呼ばれる、V2Xサイドリンク通信の繰り返し（すなわち、定期的な）PSSCH送信スケジュールが示されている。より具体的には、図2は、長さNPSSCH＝100サブフレーム（100ms）の繰り返しパターンと、10，20，50，および100サブフレームの周期性を持つさまざまなトラフィックタイプを有する、典型的なV2XトラフィックシナリオのPSSCHスーパーフレームの例を示している。
【数２】
0006824429.tif 000003
物理リソースブロック（PRB）で構成されるサイドリンクシステム帯域幅は、
【数３】
0006824429.tif 000004
サブチャネルに分割される。サブチャネルサイズnsubCHsizeは、PSSCHリソース割り当てに使用される粒度を定義する。サブチャネルは、nsubCHsizeの連続したPRBで構成される。k番目のサブチャネルは、knsubCHsize〜（k＋1）nsubCHsize−1のPRBで構成され、k＝0，…，NsubCH−1である。
【００６０】
PSSCHリソース割り当ての目的で、無線リソースsは、0≦t（s）＜NPSSCHの特定のサブフレームt（s）および0≦f（s）＜NsubCHの特定のサブチャネルf（s）に対応するサブフレーム／サブチャネルのペア（t（s），f（s））として定義され、これらはサイズNPSSCH×NsubCHの繰り返しの各PSSCHスーパーフレーム内にある。
【００６１】
本発明の実施形態では、無線通信ネットワーク100内の無線通信デバイス間の通信は定期的である。これには、最近の物理（PHY）レイヤ測定（例えば、特定のリソースのS−RSSI）を使用して、SINR要件が満たされるようにPSSCHリソースを割り当てることができるという利点がある。
【００６２】
さらに、物理サイドリンク共有チャネル（Physical Sidelink Shared Channel，PSSCH）（すなわち、サイドリンク共有チャネル（Sidelink Shared Channel，SL−SCH）を運ぶ物理チャネル）での衝突を防ぐために、本発明の実施形態では、次の2つの媒体アクセス制御（Medium Access Control，MAC）制約がサイドリンクリソースを割り当てるときに考慮される：
（a）無線通信デバイスは、それ自体に干渉するため、同じサブフレームで送信と受信の両方を行うことはできない（通常、半二重制約として知られている）。これは、すべての無線通信デバイスが特定のセル内の同じキャリア周波数でPSSCHを送信するという事実によるものである；
（b）任意のリソースで発生する異なるPSSCH送信間の相互干渉は、許容レベル内に維持する必要がある。
【００６３】
本発明の実施形態では、スケジュールモードでは、半二重制約（a）は満たすのが簡単であり、なぜなら、基地局のSL−SCHスケジューラ（またはPSSCHで送信する権利の付与を担当する他のネットワークエンティティ、例えばネットワークエンティティ106）は、どの無線通信デバイスが任意のリソースで送受信しているのかを知っているからである。
【００６４】
本発明の実施形態では、（a）を自律モードで満たすために、すべての無線通信デバイス、例えば無線通信デバイス101jは、そのPSSCHスケジュール（すなわち、送信／受信がスケジュールされているリソース）を定期的にブロードキャストするため、隣接する無線通信デバイスは、無線通信デバイス101jが送信または受信していないリソースを選択できる。
【００６５】
本発明の実施形態では、干渉制約（b）を満たすために、各無線通信デバイス、例えば無線通信デバイス101jは、ネットワークエンティティ106（スケジュールモード）および／またはその隣接する無線通信デバイス（自律モード）に、どの無線通信デバイスが無線通信デバイス101jに「近接」（RF電力に関して）しており、それらが無線通信デバイス101jにどの程度「近い」（RF電力に関して）かの情報を送信する。さらに、無線通信デバイス101jが受信するようにスケジュールされている各リソースについて、無線通信デバイス101jのトランシーバ101j−1は、無線通信デバイス101jでの受信を低下させることなく、隣接する無線通信デバイスが（RF電力に関して）どの程度「近く」で送信できるか、および、他の各リソースについて、無線通信デバイスが（RF電力に関して）どの程度「遠く」にあり、それでも無線通信デバイス101jと確実に通信できるかの情報を送信するように構成され得る。
【００６６】
スケジュールモードでは、無線通信デバイス101jは前述の情報をネットワークエンティティ106に定期的に報告し、自律モードでは、無線通信デバイス101jは前述の情報を隣接する無線通信デバイスに定期的にブロードキャストする。
【００６７】
図3は、一実施形態による、無線通信ネットワーク100内の無線通信デバイスjの隣接する無線通信デバイスの例示的なセットNj、および閾値Pmを示す概略図を示している。
【００６８】
複数の隣接する無線通信デバイスは、無線通信デバイス101jを含む。無線通信デバイス101jのプロセッサ101j−2は、以下のステップを実行するように構成され得る：
第1ステップ：条件Pij＞γcを満たし、γcは無線通信ネットワーク100によって構成可能なパラメータである、例えば無線通信デバイス101iの隣接する無線通信デバイスのアイデンティティ関連パラメータIDiを含むセットNjを決定する。
第2ステップ：第1のマップSjにより、隣接する各無線通信デバイスiのアイデンティティ関連パラメータIDi，i∈Nj、またはそのサブセットを、測定されたRSRP値Pij（Sj（i）＝Pijの設定により示される）に、または所定の閾値Pmのセット，0≦m≦ns，Pm−1＜Pmによって指定されるns個のRSRP値の範囲の1つにマッピングする。特に、隣接する無線通信デバイス101iは、次の場合にのみRSRP値の範囲m（Sj（i）＝mの設定により示される）にマッピングされる：
Pm−1＜Pij＜Pm
第3ステップ：第2のマップCjにより、PSSCHスーパーフレーム内の各リソースs（無線通信デバイス101jが送信するようにスケジュールされているサブフレームを除く）、またはそのサブセットを、次のように値Cj（s）にマッピングする：
s∈Rjの場合、Cj（s）はHj（s）またはPm＜Hj（s）である最も高いインデックスmに設定され、
【数４】
0006824429.tif 000005
の場合、Cj（s）はγIj（s）またはPm−1＞γIj（s）である最も低いインデックスmに設定され，
ここで、γは通信リンクに対して保証されるべき最小SINRである。
【００６９】
本発明の実施形態では、無線通信デバイス101jは、第1のマップSjおよび第2のマップCjを、ネットワークエンティティ106（スケジュールモード）に定期的に（例えば、100msごとに）報告するか、その隣接する無線通信デバイス（自律モード）にブロードキャストする。
【００７０】
本発明の実施形態による無線通信デバイス101jの第1のマップSjおよび第2のマップCjの例を図4に示す。
【００７１】
本発明の実施形態では、自律モードでは、ブロードキャストは、無線通信デバイス101jのPSSCHスケジュール（すなわち、送信リソースのセットTjおよび受信リソースのセットRj）も含む。
【００７２】
本発明の実施形態では、シグナリングオーバヘッドを最小化するために、無線通信デバイス101jのトランシーバ101j−1は、以前の更新に対する第1のマップSjおよび第2のマップCjの変化のみを送信するように構成され得る。完全なマップは、低い更新レートで送信できる（例えば、10回更新するたびに）。
【００７３】
図5は、一実施形態による複数のサイドリンク無線リソースをサポートする無線通信ネットワーク100における通信のための方法500の論理フロー図を示している。
【００７４】
方法500は、少なくとも1つの隣接する無線通信デバイス101iに関連付けられた第1の信号強度パラメータ（Pij）、特に物理サイドリンク共有チャネル（Physical Sidelink Shared Channel，PSSCH）基準信号受信電力（Reference Signal Received Power，RSRP）を測定するステップ502、および／または複数のサイドリンク無線リソース（s）の少なくとも1つに関連付けられた第2の信号強度パラメータ（Ij（s））、特にサイドリンク受信信号強度インジケータ（Sidelink Received Signal Strength Indicator，S−RSSI）を測定するステップ504と、複数のサイドリンク無線リソース（s）の少なくとも1つに関連付けられた干渉関連パラメータ（Hj（s））、特にPSSCH干渉ヘッドルームを決定するステップ506と、少なくとも1つの隣接する無線通信デバイス101iのアイデンティティ関連パラメータ（IDi）をPijまたはその関数にマッピングする第1のマップ（Sj）を計算するステップ508、および／または少なくとも1つのサイドリンク無線リソース（s）をIj（s）もしくはHj（s）またはその関数にマッピングする第2のマップ（Cj）を計算するステップ510と、Sjおよび／またはCjをネットワークエンティティ106、特に基地局に、および／または少なくとも1つの隣接する無線通信デバイスに送信するステップ512と、を含む。
【００７５】
方法500は、上述の無線通信デバイス101jによって実行され得る。方法500のさらなる特徴は、無線通信デバイス101jおよびその異なる実施形態の機能性から直接生じる。
【００７６】
図6は、一実施形態による複数のサイドリンク無線リソースをサポートする無線通信ネットワーク100における通信のための方法600の論理フロー図を示している。
【００７７】
方法600は、少なくとも1つの隣接する無線通信デバイス101jから、無線通信デバイス101iのアイデンティティ関連パラメータ（IDi）を第1の信号強度パラメータ（Pij）、特に物理サイドリンク共有チャネル（Physical Sidelink Shared Channel，PSSCH）基準信号受信電力（Reference Signal Received Power，RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（Sidelink Received Signal Strength Indicator，S−RSSI）、もしくは干渉関連パラメータ（Hj（s））、特にPSSCH干渉ヘッドルーム、またはその関数にマッピングする第2のマップ（Cj）を受信するステップ602と、少なくとも1つの隣接する無線通信デバイス101jから、無線通信デバイス101jの送信側サイドリンク無線リソースのセット（Tj）および／または受信側サイドリンク無線リソースのセット（Rj）を受信するステップ604と、特にSj（i）とCj（s）の比較に基づいて、隣接する無線通信デバイス101jまたは別の無線通信デバイス（l）と通信するために複数のサイドリンク無線リソースから1つまたは複数のサイドリンク無線リソース（s）を選択するステップ606、および／またはサイドリンク無線リソース（s）で既に送信および／または受信している無線通信デバイスに関して、特に、送信側無線通信デバイス101iおよび／または少なくとも1つの受信側無線通信デバイス101jの相対運動、特に相対速度に基づいて、少なくとも1つの隣接する無線通信デバイス101jと通信するために複数のサイドリンク無線リソースから1つまたは複数のサイドリンク無線リソース（s）を選択するステップ608と、を含む。相対運動、特に相対速度は、隣接する無線通信デバイスから無線通信デバイス101iによって受信された定期的なCAMまたはBSMメッセージのコンテンツから導き出すことができる。
【００７８】
方法600は、上述の無線通信デバイス101iによって実行され得る。方法600のさらなる特徴は、無線通信デバイス101iおよびその異なる実施形態の機能性から直接生じる。
【００７９】
図7は、複数のサイドリンク無線リソースをサポートする無線通信ネットワーク100における通信のための方法700の論理フロー図を示している。
【００８０】
方法700は、ネットワークエンティティ106で、複数の無線通信デバイスのうちの無線通信デバイス101jから、無線通信デバイス101jの少なくとも1つの隣接する無線通信デバイス101iのアイデンティティ関連パラメータ（IDi）を第1の信号強度パラメータ（Pij）、特に物理サイドリンク共有チャネル（Physical Sidelink Shared Channel，PSSCH）基準信号受信電力（Reference Signal Received Power，RSRP）、またはその関数にマッピングする第1のマップ（Sj）、および／または少なくとも1つのサイドリンク無線リソース（s）を第2の信号強度パラメータ（Ij（s））、特にサイドリンク受信信号強度インジケータ（Sidelink Received Signal Strength Indicator，S−RSSI）、もしくは干渉関連パラメータ（Hj（s））、特にPSSCH干渉ヘッドルーム、またはその関数にマッピングする第2のマップ（Cj）を受信するステップ702と、特にSj（i）とCj（s）の比較に基づいて、少なくとも1つの隣接する無線通信デバイス101iと無線通信デバイス101jとの間で、または別の無線通信デバイス（l）と通信するために複数のサイドリンク無線リソースから1つまたは複数のサイドリンク無線リソース（s）をネットワークエンティティ106によって選択するステップ704、および／またはサイドリンク無線リソース（s）で既に送信および／または受信している無線通信デバイスに関して、特に、送信側無線通信デバイス101iおよび／または少なくとも1つの受信側無線通信デバイス101jの相対運動、特に相対速度に基づいて、無線通信デバイス101iと少なくとも1つの隣接する無線通信デバイス101jとの間で通信するために複数のサイドリンク無線リソースから1つまたは複数のサイドリンク無線リソース（s）をネットワークエンティティ106によって選択するステップ706と、を含む。相対運動、特に相対速度は、無線通信デバイスからネットワークエンティティ106によって受信された定期的な位置報告から導き出すことができる。
【００８１】
方法700は、上述のネットワークエンティティ106によって実行され得る。方法700のさらなる特徴は、ネットワークエンティティ106およびその異なる実施形態の機能性から直接生じる。
【００８２】
本開示の特定の特徴または態様は、いくつかの実装または実施形態のうちの1つのみに関して開示されている可能性があるが、そのような特徴または態様は、必要に応じて任意のものしくは特定の用途に有利であるように他の実装または実施形態の1つまたは複数の他の特徴または態様と組み合わせることができる。さらに、詳細な説明または特許請求の範囲のいずれかで「含む（include）」、「有する（have）」、「とともに（with）」、またはその他の変形が使用される限り、そのような用語は、「備える（comprise）」という用語と同様に包括的であることを意図している。また、「例示的な（exemplary）」、「例えば（for exampleおよびe．g．）」などの用語は、最良または最適というよりは、単なる例としての意味である。「結合された（coupled）」および「接続された（connected）」という用語は、派生語とともに使用される場合がある。これらの用語は、2つの要素が物理的または電気的に直接接触しているか、互いに直接接触していないかに関係なく、2つの要素が互いに協力または相互作用することを示すために使用された可能性があることを理解されたい。
【００８３】
本明細書では特定の態様を図示および説明したが、本開示の範囲から逸脱することなく、図示および説明した特定の態様の代わりにさまざまな代替および／または同等の実装を代用できることを当業者は理解されよう。本出願は、本明細書で議論される特定の態様のあらゆる適応または変形を網羅することを意図している。
【００８４】
添付の特許請求の範囲の要素は、対応するラベル付きの特定の順序で列挙されているが、請求項の記載がそれらの要素の一部またはすべてを実装するための特定のシーケンスを意味しない限り、それらの要素は必ずしもその特定のシーケンスで実装されることに限定されることを意図していない。
【００８５】
上記の教示に照らして、多くの代替、修正、および変形が当業者には明らかとされよう。当然、当業者であれば、本明細書に記載されたものを超える本発明の多数の用途があることを容易に認識する。1つまたは複数の特定の実施形態を参照して本発明を説明したが、当業者であれば、本発明の範囲から逸脱することなく多くの変更を行うことができることを認識する。したがって、添付の特許請求の範囲およびそれらの均等物の範囲内で、本明細書に具体的に記載されている以外の方法で本発明を実施できることを理解されたい。
【符号の説明】
【００８６】
100  無線通信ネットワーク
101i  無線通信デバイス、送信側無線通信デバイス
101i−1  トランシーバ
101i−2  プロセッサ
101j  無線通信デバイス、受信側無線通信デバイス
101j−1  トランシーバ
101j−2  プロセッサ
106  ネットワークエンティティ、基地局
106−1  トランシーバ
106−2  プロセッサ
500  方法
Cj  第2のマップ
Hj（s）  干渉関連パラメータ、PSSCH干渉ヘッドルーム
IDi  アイデンティティ関連パラメータ
Ij（s）  第2の信号強度パラメータ
Nj  セット
Pij  第1の信号強度パラメータ、RSRP値
Rj  受信側サイドリンク無線リソースのセット
s  リソース、無線リソース
Sj  第1のマップ
Tj  送信側サイドリンク無線リソースのセット
【図１】
0006824429.tif 000006
【図２】
0006824429.tif 000007
【図３】
0006824429.tif 000008
【図４】
0006824429.tif 000009
【図５】
0006824429.tif 000010
【図６】
0006824429.tif 000011
【図７】
0006824429.tif 000012